(57)【要約】【課題】デフォルトをより適正なものとする。【解決手段】ユーザーによる操作部の操作によって印刷設定がデフォルトから変更された場合にその後に所定時間に亘って放置されたときに印刷設定をデフォルトに戻すものにおいて、ＩＰアドレスとデフォルトとを関連付けた環境デフォルト対応関係に現在のＩＰアドレスと同一のＩＰアドレスがある場合（Ｓ１２０）、現在のＩＰアドレスを環境デフォルト対応関係に適用してデフォルトを設定する（Ｓ２００）。【選択図】図２
2013215980.tif 000002
【特許請求の範囲】
【請求項１】
印刷設定がデフォルトから変更された場合、該変更後に所定時間に亘って放置されたときに前記印刷設定を前記デフォルトに戻す印刷装置であって、
前記印刷装置の使用環境と前記デフォルトとを関連づけた環境デフォルト対応関係を記憶する記憶手段と、
前記印刷装置の使用環境を取得する使用環境取得手段と、
前記取得した印刷装置の使用環境を前記記憶手段に記憶されている環境デフォルト対応関係に適用して前記デフォルトを設定するデフォルト設定手段と、
を備える印刷装置。
【請求項２】
請求項１記載の印刷装置であって、
前記記憶手段は、前記印刷装置の使用環境毎の最頻の設定を前記デフォルトとして、前記環境デフォルト設定を記憶する手段である、
印刷装置。
【請求項３】
請求項２記載の印刷装置であって、
前記デフォルト設定手段は、前記取得した印刷装置の使用環境が前記環境デフォルト対応関係に含まれていない場合には、予め定められた基本設定を前記デフォルトに設定し、該設定後に印刷設定が前記デフォルトから所定回数変更されたときに最頻の設定を前記デフォルトに設定する手段であり、
前記デフォルト設定手段により、前記取得した印刷装置の使用環境が前記環境デフォルト対応関係に含まれていない状態で前記デフォルトが設定された場合には、前記印刷装置の使用環境と前記設定されたデフォルトとを関連付けて前記環境デフォルト対応関係を更新する対応関係更新手段を備える、
印刷装置。
【請求項４】
請求項１ないし３のいずれか１つの請求項に記載の印刷装置であって、
前記印刷装置の使用環境は，ＩＰアドレス，使用場所，使用時間帯，使用曜日，使用季節の少なくともいずれかである、
印刷装置。
【請求項５】
印刷設定がデフォルトから変更された場合には該変更後に所定時間に亘って放置されたときに前記印刷設定を前記デフォルトに戻す印刷装置におけるデフォルト設定方法であって、
（ａ）前記印刷装置の使用環境と前記デフォルトとを関連づけた環境デフォルト対応関係を記憶手段に記憶させておき、
（ｂ）前記印刷装置の使用環境を取得し、
（ｃ）前記取得した印刷装置の使用環境を前記記憶手段に記憶されている環境デフォルト対応関係に適用して前記デフォルトを設定する、
印刷装置におけるデフォルト設定方法。
【請求項６】
印刷装置に印刷を指示する印刷指示装置にインストールされ、印刷設定がデフォルトから変更された場合には該変更後に所定時間に亘って前記印刷装置に印刷を指示しないときに前記印刷設定を前記デフォルトに戻す印刷ドライバーであって、
前記印刷装置の使用環境と前記デフォルトとを関連づけた環境デフォルト対応関係を記憶手段に記憶させる記憶処理モジュールと、
前記印刷装置の使用環境を取得する使用環境取得モジュールと、
前記取得した印刷装置の使用環境を前記記憶手段に記憶されている環境デフォルト対応関係に適用して前記デフォルトを設定するデフォルト設定モジュールと、
を備える印刷ドライバー。
【発明の詳細な説明】
【技術分野】
【０００１】
本発明は、印刷装置および印刷装置におけるデフォルト設定方法並びに印刷ドライバーに関する。
【背景技術】
【０００２】
従来、この種の印刷装置としては、操作パネルによってユーザー所望のシステム条件および印刷条件（各種設定項目）が入力されると、設定されている印刷条件の各種設定項目の使用頻度数を計数して設定項目毎にＲＡＭに記憶させて、印刷命令の実行後に、ＲＡＭに記憶されている設定項目毎の使用頻度数のうち最も高い使用頻度数の設定項目を電源投入時における初期設定として設定するものが提案されている（例えば、特許文献１参照）。また、電源スイッチがオンとされると、最も使用頻度が高い初期設定とし、印字処理の終了から所定時間経過後にオートリセット機能の動作によって初期設定に戻すものも提案されている（例えば、特許文献２参照）。
【先行技術文献】
【特許文献】
【０００３】
【特許文献１】特開２０００−１６８１７３号公報
【特許文献２】特開２００１−２６５１７０号公報
【発明の概要】
【発明が解決しようとする課題】
【０００４】
これらの印刷装置では、使用環境が変わると、ユーザー（達）の所望する設定が変わる場合がある。このため、最も使用頻度が高い設定を単純に初期設定とするだけでは、使用環境によっては初期設定が適切でない場合が生じる。
【０００５】
本発明の印刷装置および印刷装置におけるデフォルト設定方法並びに印刷ドライバーは、デフォルトをより適正なものとすることを主目的とする。
【０００６】
本発明の印刷装置および印刷装置におけるデフォルト設定方法並びに印刷ドライバーは、上述の主目的を達成するために以下の手段を採った。
【課題を解決するための手段】
【０００７】
本発明の印刷装置は、
印刷設定がデフォルトから変更された場合、該変更後に所定時間に亘って放置されたときに前記印刷設定を前記デフォルトに戻す印刷装置であって、
前記印刷装置の使用環境と前記デフォルトとを関連づけた環境デフォルト対応関係を記憶する記憶手段と、
前記印刷装置の使用環境を取得する使用環境取得手段と、
前記取得した印刷装置の使用環境を前記記憶手段に記憶されている環境デフォルト対応関係に適用して前記デフォルトを設定するデフォルト設定手段と、
を備えることを要旨とする。
【０００８】
この本発明の印刷装置では、印刷装置の使用環境とデフォルトとを関連づけた環境デフォルト対応関係を記憶手段に記憶させておき、印刷装置の使用環境を取得してそれを記憶手段に記憶されている環境デフォルト対応関係に適用してデフォルトを設定する。これにより、印刷設定のデフォルトを印刷装置の使用環境に応じたより適正なものとすることができる。
【０００９】
こうした本発明の印刷装置において、前記記憶手段は、前記印刷装置の使用環境毎の最頻の設定を前記デフォルトとして、前記環境デフォルト設定を記憶する手段である、ものとすることもできる。
【００１０】
また、本発明の印刷装置において、前記デフォルト設定手段は、前記取得した印刷装置の使用環境が前記環境デフォルト対応関係に含まれていない場合には、予め定められた基本設定を前記デフォルトに設定し、該設定後に印刷設定が前記デフォルトから所定回数変更されたときに最頻の設定を前記デフォルトに設定する手段であり、前記デフォルト設定手段により、前記取得した印刷装置の使用環境が前記環境デフォルト対応関係に含まれていない状態で前記デフォルトが設定された場合には、前記印刷装置の使用環境と前記設定されたデフォルトとを関連付けて前記環境デフォルト対応関係を更新する対応関係更新手段を備える、ものとすることもできる。こうすれば、その後に、印刷装置の使用環境が変更されて再度戻ってきたときに、印刷設定のデフォルトを印刷装置の使用環境に応じたより適正なものとすることができる。
【００１１】
さらに、本発明の印刷装置において、前記印刷装置の使用環境は，ＩＰアドレス，使用場所，使用時間帯，使用曜日，使用季節の少なくともいずれかである、ものとすることもできる。
【００１２】
本発明の印刷装置におけるデフォルト設定方法は、
印刷設定がデフォルトから変更された場合には該変更後に所定時間に亘って放置されたときに前記印刷設定を前記デフォルトに戻す印刷装置におけるデフォルト設定方法であって、
（ａ）前記印刷装置の使用環境と前記デフォルトとを関連づけた環境デフォルト対応関係を記憶手段に記憶させておき、
（ｂ）前記印刷装置の使用環境を取得し、
（ｃ）前記取得した印刷装置の使用環境を前記記憶手段に記憶されている環境デフォルト対応関係に適用して前記デフォルトを設定する、
印刷装置におけるデフォルト設定方法。
ことを要旨とする。
【００１３】
この本発明の印刷装置におけるデフォルト設定方法では、印刷装置の使用環境とデフォルトとを関連づけた環境デフォルト対応関係を記憶手段に記憶させておき、印刷装置の使用環境を取得してそれを記憶手段に記憶されている環境デフォルト対応関係に適用してデフォルトを設定する。これにより、印刷設定のデフォルトを印刷装置の使用環境に応じたより適正なものとすることができる。
【００１４】
本発明の印刷ドライバーは、
印刷装置に印刷を指示する印刷指示装置にインストールされ、印刷設定がデフォルトから変更された場合には該変更後に所定時間に亘って前記印刷装置に印刷を指示しないときに前記印刷設定を前記デフォルトに戻す印刷ドライバーであって、
前記印刷装置の使用環境と前記デフォルトとを関連づけた環境デフォルト対応関係を記憶手段に記憶させる記憶処理モジュールと、
前記印刷装置の使用環境を取得する使用環境取得モジュールと、
前記取得した印刷装置の使用環境を前記記憶手段に記憶されている環境デフォルト対応関係に適用して前記デフォルトを設定するデフォルト設定モジュールと、
を備えることを要旨とする。
【００１５】
この本発明の印刷ドライバーでは、印刷装置の使用環境とデフォルトとを関連づけた環境デフォルト対応関係を記憶手段に記憶させておき、印刷装置の使用環境を取得してそれを記憶手段に記憶されている環境デフォルト対応関係に適用してデフォルトを設定する。これにより、印刷設定のデフォルトを印刷装置の使用環境に応じたより適正なものとすることができる。ここで、印刷装置および印刷指示装置は、一緒に持ち運び可能な印刷装置および印刷指示装置である、ものとすることもできる。
【図面の簡単な説明】
【００１６】
【図１】プリンター２０の構成の概略を示す構成図。
【図２】デフォルト設定ルーチンの一例を示すフローチャート。
【図３】環境デフォルト対応関係の一例を示す説明図。
【図４】プリンター１１２とユーザーＰＣ１２０との構成の概略を示す構成図。
【発明を実施するための形態】
【００１７】
次に、本発明の実施の形態を図面に基づいて説明する。図１は、本発明の画像処理装置の一実施形態であるプリンター２０の構成の概略を示す構成図である。本実施形態のプリンター２０は、図示するように、ネットワーク１０に接続されており、給紙トレイ２３から搬送された用紙に印刷用データに基づいてシアン（Ｃ），マゼンタ（Ｍ），イエロー（Ｙ），ブラック（Ｋ）のＣＭＹＫの各色のインクを印刷ヘッドから吐出することにより印刷を実行し排紙トレイ２４に排紙するインクジェット方式のプリンターユニット３０と、図示しないガラス台に載置された原稿に向かって発光した後の反射光をレッド（Ｒ）、グリーン（Ｇ）、ブルー（Ｂ）のＲＧＢの各色に分解して画像データとするフラットベッド式のスキャナーユニット３５と、メモリーカードスロット４０ａに挿入されたメモリーカードＭＣとの間でデータを格納したファイルの読み書きを行なうカードコントローラー４０と、ネットワーク１０と接続されて外部の機器とのデータの送受信が可能なネットワークインターフェイス（ネットワークＩ／Ｆ）４５と、各種モードの設定画面や印刷の設定画面などを表示部５２に表示したり各種モードの設定や印刷の設定に関する指示などをユーザーによる操作部５４の操作を介して入力したりする操作パネル５０と、装置全体の制御を司るメインコントローラー６０とを備える。このプリンター２０では、プリンターユニット３０やスキャナーユニット３５，カードコントローラー４０，メインコントローラー６０がバス７０を介して互いに各種制御信号やデータのやり取りをすることができるよう構成されている。
【００１８】
メインコントローラー６０は、ＣＰＵ６１を中心とするマイクロプロセッサーとして構成されており、各種処理プログラムや各種データ，各種テーブルなどを記憶したＲＯＭ６２と、一時的に各種データなどを記憶するＲＡＭ６３と、データを記憶保持する不揮発性メモリーとしてのフラッシュメモリー６４と、を備える。フラッシュメモリー６４には、プリンター２０のＩＰアドレスなどが記憶されている。このメインコントローラー６０は、プリンターユニット３０やスキャナーユニット３５，カードコントローラー４０，ネットワークＩ／Ｆ４５からの各種動作信号や各種検出信号を入力したり、操作パネル５０の操作部５４からの操作信号を入力したりする。また、メインコントローラー６０からは、メモリーカードＭＣからのファイルの読み出し指令をカードコントローラー４０に出力したり、印刷指令をプリンターユニット３０に出力したり、原稿の読み取り指令をスキャナーユニット３５に出力したり、画像データやスキャン設定，印刷設定などの表示指令を表示部５２に出力したりする。
【００１９】
こうして構成された実施形態のプリンター２０では、電源がオンとされたときには、後述のデフォルトを現在の印刷設定（印刷指示がなされたときの印刷設定）とする。ここで、印刷設定の項目としては、実施形態では、用紙サイズ（Ａ３やＡ４，Ｂ４やＢ５，Ｌ判など）、用紙種類（普通紙，専用紙，写真用紙など），印刷品質（普通，きれいなど），部数（１部や２部，５部など）を用いるものとした。
【００２０】
そして、ガラス台に載置された原稿の複写（スキャナーユニット３５による読取とプリンターユニット３０による用紙への印刷）やメモリーカードＭＣに記憶されている画像データの印刷をユーザーが所望するときに、ユーザーによる操作部５４の操作によって印刷設定がデフォルトから変更されると、その後、ユーザーによる操作部５４の操作によって印刷設定のリセット指示がなされたときや、所定時間（例えば、数分など）に亘って放置されたとき（例えば、印刷指示がなされずに所定時間が経過したときや印刷指示がなされて印刷を行なった後に所定時間が経過したときなど）に印刷設定をデフォルトに戻す。後者は、印刷設定がデフォルトから変更されたまま保持されることによる不都合、例えば、その後に他のユーザーがデフォルトでの印刷を所望して印刷設定を確認せずに印刷指示を行なった場合にそのユーザーの意図とは異なる印刷設定で印刷を行なってしまうことがある、などの不都合を抑制するためである。
【００２１】
次に、こうして構成された実施形態のプリンター２０の動作、特に、デフォルトの設定の動作について説明する。図２は、メインコントローラー６０により実行されるデフォルト設定ルーチンの一例を示すフローチャートである。このルーチンは、プリンター２０の使用環境が変化したとき（例えば、出荷後の初回使用時や、同一企業の○○部から△△部に移動されたときなど）に実行される。なお、実施形態では、使用環境としてＩＰアドレスを用いるものとした。したがって、プリンター２０の使用環境が変化したときとしては、ＩＰアドレスが出荷後に初めて設定されたときや、その後に変更されたときを考えることができる。
【００２２】
デフォルト設定ルーチンが実行されると、メインコントローラー６０のＣＰＵ６１は、まず、ＩＰアドレスと、ＩＰアドレスとデフォルトとを関連付けた環境デフォルト対応関係とを入力する処理を実行する（ステップＳ１００）。実施形態では、両者共、フラッシュメモリー６４に記憶されているものを読み込んで入力するものとした。また、環境デフォルト対応関係の一例を図３に示す。なお、この環境デフォルト対応関係は、出荷後の初回使用時には、ＩＰアドレスやデフォルトは登録されていない状態として考えることができる。また、環境デフォルト対応関係におけるデフォルトは、詳細は後述するが、ＩＰアドレス毎に最頻の組み合わせが設定されている。
【００２３】
こうしてデータを入力すると、入力した環境デフォルト対応関係に、入力したＩＰアドレスと同一のＩＰアドレスがあるか否かを判定する（ステップＳ１１０，Ｓ１２０）。この判定は、環境デフォルト対応関係に、現在のＩＰアドレスについてのデフォルトが設定されているか否かを判定する処理である。
【００２４】
入力した環境デフォルト対応関係に、入力したＩＰアドレスと同一のＩＰアドレスがない場合には、予め定められた基本設定をデフォルトに設定する（ステップＳ１３０）。ここで、基本設定は、比較的頻度が高いと想定される設定（例えば、用紙サイズがＡ４，用紙種類が普通紙，印刷品質が普通，部数が１など）を用いるものとした。
【００２５】
続いて、印刷設定がデフォルトから変更された場合に（ステップＳ１４０，Ｓ１５０）、その変更後の組み合わせをカウントアップし（ステップＳ１６０）、その変更が所定回数目（例えば、１０回目や１５回目など）の変更か否かを判定し（ステップＳ１７０）、その変更が所定回数目でない（所定回数未満）の場合には、ステップＳ１４０に戻る。ここで、ステップＳ１６０の処理は、例えば、用紙サイズがＡ４，用紙種類が普通紙，印刷品質が普通，部数が５の組み合わせや、用紙サイズがＬ判，用紙種類が写真用紙，印刷品質がきれい，部数が１の組み合わせなどをカウントアップする処理である。
【００２６】
印刷設定のデフォルトからの変更が所定回数目の場合には、変更後の組み合わせのうちカウント値が最大の組み合わせ（最頻の組み合わせ）をデフォルトに設定すると共に（ステップＳ１８０）、ステップＳ１００で入力したＩＰアドレスとデフォルトとを関連付けて環境デフォルト対応関係に加えることによって環境デフォルト対応関係を更新して（ステップＳ１９０）、本ルーチンを終了する。したがって、最頻の組み合わせ（設定）をデフォルトに設定するから、その後にユーザーが印刷を所望するときに変更する項目数を比較的少なくすることができる。
【００２７】
ステップＳ１１０，Ｓ１２０で、入力した環境デフォルト対応関係に、入力したＩＰアドレスと同一のＩＰアドレスがある場合には、入力したＩＰアドレスを環境デフォルト対応関係に適用してデフォルトを設定して（ステップＳ２００）、本ルーチンを終了する。したがって、例えば、同一企業の○○部から△△部に移動された後に○○部に戻されたときなどには、△△部に移動される前のＩＰアドレスが設定されると、そのＩＰアドレスに対応するデフォルトを用いることになる。プリンター２０は、その使用環境に応じて一般的な使用用途が変化する場合があるが、こうした処理により、基本設定を一旦デフォルトに設定するという処理が必要なく、デフォルトをプリンター２０の使用環境に応じたより適正なものとすることができる。この結果、ユーザーの利便性の向上を図ることができる。
【００２８】
ここで、本実施形態の構成要素と本発明の構成要素との対応関係を明らかにする。本実施形態の環境デフォルト対応関係を記憶するフラッシュメモリー６４が本発明の「記憶手段」に相当し、図２のデフォルト設定ルーチンのステップＳ１００の処理を実行するメインコントローラー６０が「使用環境取得手段」に相当し、ステップＳ１１０〜Ｓ２００の処理を実行するコントローラー６０が「デフォルト設定手段」に相当する。
【００２９】
以上説明した本実施形態のプリンター２０によれば、ＩＰアドレスとデフォルトとを関連付けた環境デフォルト対応関係に現在のＩＰアドレスと同一のＩＰアドレスがある場合には、現在のＩＰアドレスを環境デフォルト対応関係に適用してデフォルトを設定するから、印刷設定のデフォルトをプリンター２０の使用環境に応じたより適正なものとすることができる。
【００３０】
なお、本発明は上述した実施形態に何ら限定されることはなく、本発明の技術的範囲に属する限り種々の態様で実施し得ることはいうまでもない。
【００３１】
上述した実施形態では、環境デフォルト対応関係のプリンター２０の使用環境としては、ＩＰアドレスを用いるものとしたが、ＩＰアドレスに加えて又は代えて、使用場所や使用時間帯，使用曜日、使用季節などを用いるものとしてもよい。ここで、使用場所を用いる場合、例えば、プリンター２０にＧＰＳ（Global Positioning System）アンテナを搭載してそのＧＰＳアンテナによって現在位置を検出することができる。また、使用時間帯や使用曜日，使用季節などを用いる場合、例えば、プリンター２０に時計機能やカレンダー機能を搭載してそれらの機能を用いて検出することができる。
【００３２】
上述した実施形態では、環境デフォルト対応関係のデフォルトとしては、最頻の組み合わせを用いるものとしたが、項目毎の最頻値を組み合わせたものを用いるものとしてもよい。
【００３３】
上述した実施形態では、環境デフォルト対応関係に、入力したＩＰアドレスと同一のＩＰアドレスがない場合には、その後に印刷設定がデフォルトから所定回数変更されたときに、最頻の組み合わせをデフォルトに設定するものとしたが、プリンター２０の仕様環境が変化したときなどにユーザーによって設定されたデフォルトを用いるものとしてもよい。
【００３４】
上述した実施形態では、環境デフォルト対応関係に、入力したＩＰアドレスと同一のＩＰアドレスがない場合には、その後に印刷設定がデフォルトから所定回数変更されたときに、最頻の組み合わせをデフォルトに設定するものとしたが、印刷設定がデフォルトから変更された状態で所定回数印刷されたときに、最頻の組み合わせをデフォルトに設定するものとしてもよい。この場合、印刷設定がデフォルトから変更された場合にその変更後の組み合わせをカウントアップするのに代えて、印刷設定がデフォルトから変更された状態で印刷指示がなされたときにそのときの組み合わせをカウントアップするものとしてもよい。
【００３５】
上述した実施形態では、印刷設定の項目としては、用紙サイズ（Ａ３やＡ４，Ｂ４やＢ５，Ｌ判など）、用紙種類（普通紙，専用紙，写真用紙など），印刷品質（普通，きれいなど），部数（１部や２部，５部など）を用いるものとしたが、これらの一部を用いるものとしてもよいし、これらに加えて他の項目（例えば、拡大縮小やレイアウトなど）を用いるものとしてもよい。
【００３６】
上述した実施形態では、ネットワーク１０に接続されたプリンター２０の形態として説明したが、印刷を行なうプリンター１１２に画像データや印刷指示を送信する印刷指示装置としてのユーザーパソコン（ＰＣ）１２０にインストールされるプリンタードライバー１３２の形態としてもよい。図４は、プリンター１１２とユーザーＰＣ１２０との構成の概略を示す構成図である。なお、プリンター１１２およびユーザーＰＣ１２０は、この変形例では、一緒に持ち運び可能なモバイルプリンターおよびノートＰＣを考えるものとした。
【００３７】
ユーザーＰＣ１２０は、周知の汎用コンピューターとして構成されており、図示するように、各種制御を実行するＣＰＵ１２２や各種処理プログラムなどを記憶するＲＯＭ１２３，データを一時的に記憶するＲＡＭ１２４などを有するコントローラー１２１と、各種アプリケーションプログラムや各種データファイルを記憶する大容量メモリとしてのハードディスクドライブ（ＨＤＤ）１３０と、図示しないＵＳＢポートに接続された外部機器（この変形例ではプリンター１１２）との間でデータの入出力を行うＵＳＢコントローラー１４０と、各種情報を表示出力する表示部１５０と、ユーザーが各種入力操作を行なう入力部１５２と、を備える。コントローラー１２１やＨＤＤ１３０，ＵＳＢコントローラー１４０，表示部１５０，入力部１５２は、バス１７０によって接続されている。
【００３８】
ＨＤＤ１３０には、文書や画像の作成，編集，印刷指示等の機能を有するアプリケーションプログラムや、プリンター１１２で印刷可能な印刷データを作成したり印刷データや印刷設定をプリンター１１２に送信したりする機能を有するプリンタードライバー１３２などが記憶されている。ここで、プリンタードライバー１３２は、印刷設定がデフォルトから変更された場合にその変更後に印刷を指示したときや所定時間に亘ってプリンター１１２に印刷を指示しないときなどに印刷設定をデフォルトに戻す機能（モジュール）を有しており、他に、上述の環境デフォルト対応関係をＨＤＤ１３０の所定領域に記憶させる（書き込む）記憶処理モジュール１３４と、プリンター１１２の使用環境を取得する使用環境取得モジュール１３５と、デフォルトを設定するデフォルト設定モジュール１３６と、を備える。記憶処理モジュール１３４は、環境デフォルト対応関係をＨＤＤ１３０の所定領域に予め記憶させたり図２のデフォルト設定ルーチンのステップＳ１９０の処理と同様の処理を実行したりするモジュールであり、使用環境取得モジュール１３５は、ステップＳ１００の処理と同様の処理を実行するモジュールであり、デフォルト設定モジュール１３６は、ステップＳ１１０〜Ｓ１８０，Ｓ２００の処理と同様の処理を実行するモジュールである。こうしたプリンタードライバー１３２をユーザーＰＣ１２０にインストールしておくことにより、実施例と同様の効果を奏することができる。例えば、プリンター１１２（モバイルプリンター）とユーザーＰＣ１２０（ノートＰＣ）とを所有するユーザーが自宅で印刷を行なったりオフィスで印刷を行なったり外出先（顧客先）で印刷を行なったりする場合を考えると、こうしたプリンタードライバー１３２をユーザーＰＣ１２０に事前にインストールしておくことにより、印刷設定のデフォルトを自宅とオフィスと外出先とのそれぞれに応じたより適正なものとすることができる。なお、この変形例では、使用環境取得モジュール１３５は、プリンター１１２（モバイルプリンター）に搭載されたＧＰＳアンテナによって検出した現在位置などを通信により取得することができる。
【００３９】
この変形例では、印刷指示装置としてのユーザーＰＣ１２０にインストールされるプリンタードライバー１３２の形態として説明したが、印刷指示装置としては、ユーザーＰＣ１２０に限定されるものではなく、携帯電話などを用いるものとしてもよい。
【００４０】
上述した実施形態では、本発明をプリンター２０に適用するものとしたが、さらにＦＡＸ機能を備えたＦＡＸ装置などに適用するものとしてもよい。
【符号の説明】
【００４１】
１０  ネットワーク、２０，１１２  プリンター、２３  給紙トレイ、２４  排紙トレイ、３０  プリンターユニット、３５  スキャナーユニット、４０  カードコントローラー、４０ａ  メモリーカードスロット、４５  ネットワークインターフェイス（ネットワークＩ／Ｆ）、５０  操作パネル、５２  表示部、５４  操作部、６０  メインコントローラー、６１  ＣＰＵ、６２  ＲＯＭ、６３  ＲＡＭ、６４  フラッシュメモリー、６９  バス、１２０  ユーザーパソコン（ＰＣ）、１２１  コントローラー、１２２  ＣＰＵ，１２３  ＲＯＭ、１２４  ＲＡＭ、１３０  ハードディスクドライブ（ＨＤＤ）、１３２  プリンタードライバー、１３４  記憶処理モジュール、１３５  使用環境取得モジュール、１３６  デフォルト設定モジュール、１４０  ＵＳＢコントローラー、１５０  表示部、１５２  入力部、１７０  バス。
【図１】
2013215980.tif 000003
【図２】
2013215980.tif 000004
【図３】
2013215980.tif 000005
【図４】
2013215980.tif 000006